(57)【要約】 【課題】  メモリアルグッズ性の高い新規の棺用掛け布の提供を図る。【解決手段】  柩を覆う程度の大きさを具えた布材Aに対して、遺族・近親者・関係者などが希望する故人を偲ぶ表示Bをプリントするように構成する。  故人を偲ぶ表示Bとして、経文、言葉、図柄、絵柄の何れか若しくはこれらの組み合わせ、或いは複数者による記帳若しくは添書き的なものとする。【選択図】  図１
2013150642.tif 000002
【特許請求の範囲】
【請求項１】
棺全体を覆う程度の大きさを具えた布材(A)に対して、遺族・近親者・関係者などが希望する故人を偲ぶ表示であるプリント表示(B)を施すように構成した棺用掛け布。
【請求項２】
布材(A)として、棺の一部を覆う程度の大きさを具えたものとして成る請求項１に記載の棺用掛け布。
【請求項３】
故人を偲ぶためのプリント表示(B)として、経文、言葉、図柄、絵柄の何れか若しくはこれらの組み合わせ、或いは複数者による記帳若しくは添書き的なものとするように構成した請求項１または請求項２の何れかに記載の棺用掛け布。
【発明の詳細な説明】
【技術分野】
【０００１】
本発明は葬儀に際して棺に掛けておくための棺用掛け布に関する。
【背景技術】
【０００２】
従来、棺には白地の布を掛けておくことを通例とする。  そして、故人に対する生前中の想い出や感謝の気持ちを伝える手段としては、書面に記載してこれを棺に納めるようにしたものがある。（例えば、特許文献１参照。）
【０００３】
【特許文献１】実用新案登録第３０８９２０９号公報
【発明の開示】
【発明が解決しようとする課題】
【０００４】
上述したような書面による手段の場合、棺とともに書面も焼却してしまう関係上、遺族の手元に留まらせるものではない。  そして、書面の場合、多くの弔問者間において各自が認識するためには、これを誰かが読み上げなければならず、従って、途中から弔問した者は聞きのがしてしまったり、長文の場合は時間的な制約性が生じてしまうこととなる。
【０００５】
そして、遺族においては、葬儀が終わった後に、弔問者等から送られた所謂メモリアル的なものを残しておきたいと思っても、通常は香典袋またはその記帳程度のものしか存在しないのが通例である。
【０００６】
本発明は、上述したような従来の問題点の解消を図った、新規の棺用掛け布を提供するものである。
【課題を解決するための手段】
【０００７】
本発明は請求項１に記載のように、棺全体を覆う程度の大きさを具えた布材Aに対して、遺族・近親者・関係者などが希望する故人を偲ぶ表示であるプリント表示Bを施すように構成した棺用掛け布に係る。
【０００８】
本発明は請求項２に記載のように、布材Aとして、棺の一部を覆う程度の大きさを具えたものとして成る請求項１に記載の棺用掛け布を実施の態様とする。
【０００９】
本発明は請求項３に記載のように、故人を偲ぶためのプリント表示(B)として、経文、言葉、図柄、絵柄の何れか若しくはこれらの組み合わせ、或いは複数者による記帳若しくは添書き的なものとするように構成した請求項１または請求項２の何れかに記載の棺用掛け布。
【発明の効果】
【００１０】
本発明は請求項１に記載のような構成、すなわち、棺全体を覆う程度の大きさを具えた布材Aに対して、遺族・近親者・関係者などが希望する故人を偲ぶ表示であるプリント表示Bを施すように構成したから、葬儀の最中に、掛け布に施されたプリントの内容を黙読することに依り、親族を含め弔問者間に広く共感させることが出来き、その表示は葬儀の間は常に表示されているため、書面の読み上げに依存した場合に生じる聞き逃し、または時間的問題の発生と言うような事柄を皆無とする。
【００１１】
そして本発明は、葬儀に先立ち、遺族・近親者・関係者などが希望する「故人を偲ぶ言葉等」の表示を、当該掛け布にプリントするように所要の製造業者に依頼し、依頼された製造業者は当該プリント作業を葬儀開催前に施しておき、当該プリントが施された掛け布は葬儀当日に棺に対して覆っておき、葬儀終了後に喪主に対して当該掛け布の引き渡しを図ると言うような使用形態を採るものである。
【００１２】
また葬儀が終わった後に、遺族は所要のプリントが施された掛け布を受け取ることに依り、故人の想い出、若しくは、弔問者の心情を末永く手元に保有するメモリアルグッズとしての役割を果たすことができる。
【００１３】
本発明は請求項２に記載のような構成、すなわち、布材Aとして、棺の一部を覆う程度の大きさを具えたものとすることに依り、お別れのための拝顔用扉部分を隠さないような使用形態を採ることが出来る。
【００１４】
本発明は請求項３に記載のような構成、すなわち、故人を偲ぶためのプリント表示Bとして、経文、言葉、図柄、絵柄の何れか若しくはこれらの組み合わせ、或いは複数者による記帳或いは添書き的なものとするように構成することにより、多彩かつ多様な表示プリントが施された掛け布とすることが出来、メモリアルグッズとしての価値性の著しい高揚化が図られる。  また、記帳部分は当日参列者に直接記載してもらうような使用形態を採ることも可能である。
【発明を実施するための最良の形態】
【００１５】
本発明は棺を覆うための掛け布であって、葬儀に先立ち、遺族・近親者・関係者などが希望する「故人を偲ぶ言葉等」の表示を、当該掛け布にプリントするように所要の製造業者に依頼し、依頼された製造業者は当該プリントの作業を葬儀開催前に施しておき、当該プリントが施された掛け布は葬儀当日に棺に対して覆っておき、葬儀終了後に喪主に対して当該掛け布の引き渡しを図るような利用形態を採るための棺用掛け布に関する。
【００１６】
ところで、掛け布に対するプリントであるが、これは専門の印刷業者に依頼することを原則とするが、依頼者から受注、印刷業者への発注及び引き取り、棺を覆うような展示、並びに遺族への引き渡しというような作業を、葬儀を進行する葬儀会社がすべて代行するようにしても良い。
【００１７】
図１は発明に係る棺用掛け布Aの一例を表したものである。 掛け布Aは図２に示すように、棺の上面から四周面を覆う程度の大きさを具えたものを原則とするが、これに限定されるものではなく、例えば図３に示すように、上面部分だけと言うように、棺の一部分を覆うような形態等、適宜な大きさのものであって可とする。  また、材質は通常絹製とするが、本発明においては、合成樹脂製布材の使用等、材質に対する制限性は存在しない。  言い換えると、メモリアルグッズとして長く保有する関係上、変質が生じにくい材料であり、かつ、プリントし易い材料であることが好ましい。  
【００１８】
Bは上記した掛け布Aの所要箇所に設けたプリント表示であって、遺族・近親者・関係者などが希望する故人を偲ぶ表示を施すものである。  具体的には、図示のような弔辞、或いは、想い出の話、若しくは、経文、極めて親しい友人の名前、添書き、或いは、写真、絵柄、若しくはこれらの組み合わせ等、その内容に関する制限性は存在しない。  また、場合によっては色彩を取り入れても良い。
【００１９】
なお、図１に示すような掛け布Aは、図２または図３に示すように、葬儀時に棺Cの上面に覆うようにして使用し、葬儀後は遺族の所謂メモリアルグッズとして大切に保管する。
【００２０】
これにより、ご遺体に伝えたい一言、例えば、生前お世話になったお礼の言葉、受けた愛情に対する感謝の言葉、残されたものがこれから強く生きてゆく決意の言葉、このような言葉が一つまたは複数が綴られたものが、弔辞的或いは遺族に対する思いやりの言葉として、葬儀後も末永く残すことができこととなる。
【００２１】
なお、図３に示すような参列者の記帳部分Dであるが、これを含めて全体を予めプリントしておくような形態でを採ることを原則とするが、当該記帳部分Dだけは、当日葬儀の際に直接記載してもらう、と言うような利用形態を採ることも可能である。
【００２２】
すなわち、通常、葬儀が終わってみると何も残らず、せいぜい香典袋、記帳が参列者の存在の記憶とする程度である。  これに対して本発明に係る棺用掛け布は、心のこもった表示であるプリントがなされているため、後日、これを取り出して懐かしむことに依り、葬儀当日の模様を鮮明に思い出すことが出来る。  これにより、懐かしく、愛おしく、故人への想いを一層強くさせ、ひいては祖先を敬う気持ちの恒常化が図られることとなる。
【図面の簡単な説明】
【００２３】
【図１】本発明に係る棺用掛け布の一例を表した平面図である。
【図２】本発明の使用状態の一例を表した説明用斜視図である。
【図３】本発明の他の使用例を表した説明用斜視図である。
【符号の説明】
【００２４】
A   掛け布
B  プリント表示
C  棺
D 記帳部分
【図１】
2013150642.tif 000003
【図２】
2013150642.tif 000004
【図３】
2013150642.tif 000005